(57)【要約】【課題】プロセス情報量が多い場合においても少ない入力回路で入力できるプロセス情報入力機構を構成する。【解決手段】複数のプロセス情報信号の情報伝送回路を１回路毎に順次閉成し開路してスキャニングするスキャニングスイッチと、スキャニングスイッチに対してスキャニング信号を出力するタイミング制御回路と、プロセス情報シリアル信号からスキャニング信号に同期してプロセス情報毎のプロセス情報信号を抽出する信号処理部と、抽出されたプロセス情報信号を格納するメモリとからなる入力処理部を備えたものである。【選択図】図１
2007156847.tif 000002
【特許請求の範囲】
【請求項１】
複数のプロセス情報の信号伝送回路を１回路毎に順次閉成し開路してスキャニングするスキャニングスイッチと、接続された上記信号伝送回路毎の上記プロセス情報を順次入力し、入力順に並んだプロセス情報シリアル信号として出力する入力回路とを備えたことを特徴とするプロセス情報入力機構。
【請求項２】
上記スキャニングスイッチに対してスキャニング信号を出力するタイミング制御回路と、上記プロセス情報シリアル信号から上記スキャニング信号に同期してプロセス情報毎のプロセス情報信号を抽出する信号処理部と、上記抽出されたプロセス情報信号を格納するメモリとからなる入力処理部を備えたことを特徴とする請求項１記載のプロセス情報入力機構。
【請求項３】
上記スキャニングスイッチは、上記複数のプロセス情報の信号伝送回路の検出電圧印加側に配置したことを特徴とする請求項１または請求項２記載のプロセス情報入力機構。
【請求項４】
上記スキャニングスイッチは、上記複数のプロセス情報の信号伝送回路と上記入力回路との間に配置したことを特徴とする請求項１または請求項２記載のプロセス情報入力機構。
【請求項５】
上記タイミング制御回路は、上記入力処理部とは独立して設けられていることを特徴とする請求項１〜請求項４のいずれかに記載のプロセス情報入力機構。
【請求項６】
多数のプロセス情報発生部およびそれぞれのプロセス情報発生部のプロセス情報信号が伝送される信号伝送回路を複数のグループに分割し、分割したグループ毎の上記プロセス情報発生部および上記信号伝送回路をグループ単位で順次閉成し開路してスキャニングするスキャニングスイッチと、上記複数のグループの上記信号伝送回路の同一配列順位のそれぞれの出力側を一括接続し、この一括接続した部分にそれぞれ接続し、上記分割した各グループの同一配列順位の上記プロセス情報を順次入力し、入力順に並んだプロセス情報シリアル信号として同一配列毎に出力する複数の入力回路と、上記スキャニングスイッチに対してスキャニング信号を出力するタイミング制御回路、上記プロセス情報シリアル信号からプロセス情報毎のプロセス情報信号を抽出する信号処理部、抽出した上記プロセス情報信号を格納するメモリからなる入力処理部とを備えたことを特徴とするプロセス情報入力機構。
【請求項７】
上記入力回路の上記プロセス情報の入力側にノイズ成分を除去するノイズフィルタを設けたことを特徴とする請求項１〜請求項６のいずれかに記載のプロセス情報入力機構。
【請求項８】
上記入力回路から出力されるプロセス情報シリアル信号から上記スキャニング信号に同期して行うプロセス情報信号の抽出は、サンプリングデータが所定回数連続して一致することでデータを確定することを特徴とする請求項２〜請求項７のいずれかに記載のプロセス情報入力機構。
【請求項９】
プロセス情報入力部に少なくとも１つの上記請求項１〜請求項８のいずれかのプロセス情報入力機構が使用されていることを特徴とする監視制御装置。
【発明の詳細な説明】
【技術分野】
【０００１】
この発明は、電力プラント、工業プラント等のプラント設備の監視制御装置の各プロセスのプロセス情報を入力するプロセス情報入力機構およびこのプロセス情報入力機構を使用した監視制御装置に関するものである。
【背景技術】
【０００２】
電力プラント、工業プラント等のプラント設備の監視制御装置におけるプロセス情報入力機構は、通常の概念で構成すると図８のようになる。プラント設備の各プロセスのプロセス情報発生部１は接点Ａ、Ｂ、Ｃ・・・Ｍからなり、接点Ａ、Ｂ、Ｃ・・・Ｍは検出電圧印加線２から検出電圧を受け、接点信号が出力回路３からプロセス情報入力機構５に入力される。プロセス情報入力機構５では、入力されたプロセス情報発生部１の接点Ａ、Ｂ、Ｃ・・・Ｍ毎に設けられた入力回路６ａ、６ｂ、６ｃ、・・・６ｍ（以下総称するときは６として表現する）により入力処理部７の信号処理部７ａに入力され、信号処理部７ａでデータ処理されたデータはメモリー８に格納される構成である。
このように従来の概念による監視制御装置のプロセス情報入力機構５では、プロセス情報毎に入力回路６が設けられた構成であり、プロセス情報発生部１の数量に比例して入力回路６が必要となり、プロセス情報入力機構５は大きなものとなる。
【０００３】
従来のプロセス情報入力機構の他の例としては、例えば特許文献１に開示されている。
特許文献１には、信号線を行と列のマトリックス状に配置し、プロセス情報を出力する各々のスイッチの両端がマトリックス状に配列された信号線の行と列のいずれかに接続され、行と列の信号線はプロセス情報入力装置に接続され、プロセス情報入力装置では信号線に対応して入力回路が接続され、入力回路を介して状変検出回路、入力バッファの信号処理部に入力されるプロセス情報入力装置が示されている。
このように信号線をマトリックス状に配置し、プロセス情報を出力する各スイッチをマトリクス状に配列された信号線の行および列に接続することにより、信号線が少なくできるメリットがある。
しかし、この構成においても、信号線毎に入力回路が必要であり、プロセス情報発生部の数量に比例して入力回路が必要であり、プロセス情報発生部が多い場合はプロセス情報入力機構が大きくなる。
【０００４】
【特許文献１】特許第２７３２５８５号公報
【発明の開示】
【発明が解決しようとする課題】
【０００５】
図８に示す従来の概念によるプロセス情報入力機構５は、１個のプロセス情報に対して１要素の入力回路６を必要としており、また、特許文献１の信号線をマトリックス状に配置した構成では、各信号線にそれぞれ入力回路を必要とし、いずれの構成においても、プロセス情報量に比例してプロセス情報入力機構が大きくなる問題点があった。
【０００６】
この発明は、上記問題点を解決するためになされたものであり、監視制御装置のプロセス情報入力機構をプロセス情報量が多い場合においても、少ない入力回路で入力できるように構成して小型化を図り、監視制御装置の小型化を実現することを目的とする。
【課題を解決するための手段】
【０００７】
この発明に係るプロセス情報入力機構は、複数のプロセス情報の信号伝送回路を１回路毎に順次閉成し開路してスキャニングするスキャニングスイッチと、接続された信号伝送回路毎のプロセス情報を順次入力し、入力順に並んだプロセス情報シリアル信号として出力する入力回路とを備えたものである。
【発明の効果】
【０００８】
複数のプロセス情報の信号伝送回路をスキャニングしてプロセス情報を入力回路に取り込み、プロセス情報シリアル信号として出力する構成としたことにより、複数のプロセス情報が一つの入力回路で入力できるので、プロセス情報入力機構が小型になり、発熱量の削減、実装効率の向上、コスト低減等の効果が得られる。
【発明を実施するための最良の形態】
【０００９】
実施の形態１．
この発明の実施の形態１のプロセス情報入力機構の回路図を図１に示す。
図１はプロセス情報発生部１０とプロセス情報入力機構２０とで構成されている。
プロセス情報発生部１０は、プロセス情報を発生する接点Ａ、Ｂ、Ｃ・・・Ｍで構成され、それぞれの接点に対して検出電圧を印加する検出電圧印加線１２、接点の接触状態／非接触状態の信号を出力する信号出力線１３が接続されている。信号伝送回路１５は検出電圧印加線１２、接点Ａ、Ｂ、Ｃ・・・Ｍ、信号出力線１３で構成される。
【００１０】
プロセス情報入力機構２０は、プロセス情報発生部１０の複数の接点Ａ、Ｂ、Ｃ・・・Ｍに検出電圧を印加するコモン線２９からプロセス情報発生部１０へ接続する部分に設け、各接点Ａ、Ｂ、Ｃ・・・Ｍに接続された検出電圧印加線１２を１回路毎に順次閉成し開路してスキャニングするスキャニングスイッチ２４と、接点Ａ、Ｂ、Ｃ・・・Ｍからプロセス情報の接点信号を出力する出力信号線１３を一括接続し、順次入力される接点信号が入力順に並んだプロセス情報シリアル信号として出力する入力回路２２と、スキャニングスイッチ２４に対してスキャニング信号Ｓを出力するタイミング制御回路２５ａ、各接点の信号伝送回路１５を閉成する各スキャニング信号Ｓａ、Ｓｂ、Ｓｃ・・・Ｓｍの有意時点に同期して入力回路２２からのプロセス情報シリアル信号から必要回数サンプリングして接点Ａ、Ｂ、Ｃ・・・Ｍのプロセス情報信号として順次出力する信号処理部２５ｂ、信号処理部２５ｂから出力されたプロセス情報信号をプロセス情報毎に格納するメモリ２６からなる入力処理部２５とを備えている。
【００１１】
図２は図１のプロセス情報入力機構１０のデータ取込方法を時系列に表現したタイミングチャートである。図２のタイミングチャートの各信号は、上の状態を有意「１」、下の状態を無意「０」として示している。
図２において、＜プロセス情報＞は、プロセス情報発生部１０の接点Ａ、Ｂ、Ｃ・・Ｍの接触状態／非接触状態を示している。
＜スキャニング信号＞は、スキャニングスイッチ２４に入力するスキャニング信号Ｓであり、Ｓａは接点Ａ、Ｓｂは接点Ｂ、Ｓｃは接点Ｃ、Ｓｍは接点Ｍのそれぞれの信号伝送回路１５を順次閉成し開路するスキャニング信号である。各信号の有意「１」のタイミングで対応する信号伝送回路１５を閉成する。
＜入力回路出力信号＞は、入力回路２２からプロセス情報シリアル信号として出力される入力回路２２の出力信号であり、接点が接触状態のときを有意「１」、非接触状態のときを無意「０」とした信号である。それぞれの出力信号の下に示した波形が入力回路２２の出力波形である。
最下段の＜スキャニング信号出力時刻＞は各スキャニング動作の時刻をＴ１、Ｔ２、Ｔ３、Ｔ４、Ｔ５で示している。
スキャニング信号Ｓａは、前段のスキャニング信号Ｓｍが無意「０」の後に有意−無意となり、スキャニング信号Ｓｂは、スキャニング信号Ｓａが無意となった後に有意−無意となり、スキャニング信号Ｓｃ・・・Ｓｍ、Ｓａ、Ｓｂ、Ｓｃ・・・Ｓｍ・・・という具合に順次前段のスキャニング信号が無意となった後に有意となるように繰り返す制御が入力処理部２５のタイミング制御回路２５ａから出力されるスキャニング信号Ｓにより行われる。
【００１２】
次に図２の動作状態について説明する。
プロセス情報の各接点の接触状態／非接触状態が＜プロセス情報入力信号＞に示す状態であったとすると、入力処理部２５のタイミング制御回路２５ａからスキャニングスイッチ２４に図２の＜スキャニング信号＞欄に示すスキャニング信号Ｓを出力する。入力回路２２はスキャニング信号Ｓに対応して入力回路２２から＜入力回路出力信号＞に示すプロセス情報シリアル信号が出力される。即ち、スキャニング信号Ｓａ、Ｓｂ、Ｓｃ・・・Ｓｍのそれぞれの信号の有意のときに対応する接点Ａ、Ｂ、Ｃ・・・Ｍの信号伝送回路１５が順次閉成し、閉成した信号伝送回路１５の接点の接点信号が順次入力回路２２に入力され、入力回路２２から各接点の接点信号が入力順に並んだプロセス情報シリアル信号として出力される。
例えばスキャニング時刻Ｔ１では、＜プロセス情報＞の接点Ｍが「０」、接点Ａが「０」、接点Ｂが「０」、接点Ｃが「１」であるので、スキャニング時刻Ｔ１における入力回路２２から出力信号のプロセス情報シリアル信号は「０００１」である。
スキャニング時刻Ｔ２における入力回路２２の出力信号は「０１１１」となり、スキャニング時刻Ｔ３では「００１０」、スキャニング時刻Ｔ４では「１０００」、スキャニング時刻Ｔ５では「１０００」となる。
【００１３】
入力回路２２から出力されたプロセス情報シリアル信号は入力処理部２５の信号処理部２５ｂに入力され、スキャニング信号Ｓがスキャニングする毎に、各スキャニング信号Ｓａ、Ｓｂ、Ｓｃ・・・Ｓｍの有意時点に同期してプロセス情報シリアル信号から必要回数サンプリングし、対応する接点からのプロセス情報信号として取り込み、メモリ２６にプロセス情報毎に区別して格納する。
【００１４】
以上のように構成し、複数のプロセス情報をスキャニングして取り込むことにより、複数のプロセス情報が一つの入力回路２２で入力できるようになり、これにより回路が削減できるので、プロセス情報入力機構２０が小型になって発熱量が削減され、これを使用した監視制御装置では実装効率が向上しコスト低減にもつながる。
【００１５】
プロセス情報発生部１の接点Ａ、Ｂ、Ｃ・・・Ｍは、接触時にチャタリングしてチャタリングノイズが発生することがある。また、検出電圧印加線１２、信号出力線１３等で誘導ノイズを拾うこともあり、これらのノイズを誤って信号として取り込むことがないように配慮する必要がある。
図３はプロセス情報入力機構２０において、データを取り込んで確定する方法を時系列に表現したタイムチャートであり、プロセス情報発生部１０の接点Ａの接点信号を取り込む場合を示すものである。第１段はプロセス情報入力信号の接点Ａの接離状態を示している。第２段は接点Ａに対するスキャニング信号Ｓａの波形である。第３段は接点Ａの接点信号が入力回路２２に入力されて入力回路２２から出力する入力回路出力信号の波形を示している。第４段は入力処理部２５ｂにおける接点Ａの入力回路出力信号からサンプリングする状態を示すものである。第５段は信号処理部２５ｂの取込データを示す。
【００１６】
また、図３に示したｔ１は入力される接点信号のチャタリング時間、Ｔｓ１はスキャニング信号の周期、ｔｓは１個のスキャニング信号が有意となる時間、ｔ２は入力回路全体の遅延時間、ｔ３はあるサンプリングで取り込んだデータをＮ回連続して一致することでデータ確定するデータ確定時間である。
なお、データ確定時間ｔ３は入力データが安定する時間を予め想定して決定する。
【００１７】
プロセス情報発生部１０の接点Ａが接触状態になると、接点Ａの接点信号は初期のｔ１の時間チャタリングにより不安定な状態であり、信号処理部２５ｂのサンプリングは、図の左から「０」「０」「０」と読み込まれ、チャタリングがなくなった時点以降に接点Ａの接点信号に応じて「１」「１」・・・を読み込む。信号処理部２５ｂで読み込まれた接点信号より「１」「１」・・・がＮ回（図３では３回）連続して一致したデータが読み込まれたときに、接点Ａのデータを「１」として確定する。
スキャニング信号Ｓａが有意から無意になる直前のサンプリングデータが「１」のときは、メモリには「１」が格納されている。スキャニング信号Ｓａが無意になるとプロセス情報の接点Ａのサンプリングが停止する。再度、Ｔｓ１後にスキャニング信号Ｓａが有意となるが、接点Ａの接点信号は有意を継続しており、入力回路２２からの出力波形の起ち上がり時間ｔ２の間のサンプリングは「０」「０」「０」と読み込み、有意になった時点以降に「１」を読み込み「１」「１」「１」・・・がＮ回連続して読み込まれたときに接点Ａの新たなデータを「１」として確定する。接点Ｂ〜Ｍについても当該スキャニング信号Ｓにより同様にしてプロセス情報信号を順次確定し、メモリ２６に格納される。
格納されたプロセス情報信号は、スキャニングされる毎に確定したプロセス情報信号が格納されて更新される。
【００１８】
このようにプロセス情報の接点信号をスキャニングの最中に一定周期で入力状態をサンプリングし、Ｎ回連続して一致するデータをもってデータを確定する方法を採ることにより、プロセス情報入力信号の立ち上がり時などの不安定期に誤ったデータを取り込むことが防止できる。
【００１９】
実施の形態２．
実施の形態１では、スキャニングスイッチ２４をプロセス情報発生部１０の接点に検出電圧を供給するコモン線１９側に設けた構成としたが、実施の形態２はスキャニングスイッチ３４を接点Ａ、Ｂ、Ｃ・・・Ｍの接点信号の入力側に配置したものである。
図４は実施の形態２のプロセス情報入力機構３０の回路図である。プロセス情報発生部１０は、実施の形態１と同一であり、プロセス情報入力機構３０は、検出電圧を印加するコモン線２９から検出電圧印加線３１でプロセス情報発生部１０の各接点Ａ、Ｂ、Ｃ・・・Ｍに接続し、プロセス情報発生部１０の信号出力線３２の各接点信号が入力される部分にスキャニングスイッチ３４を接続して入力回路２２に接続している。入力回路２２、入力処理部２５、タイミング制御回路２５ａ、信号処理部２５ｂ、メモリ２６は実施の形態１の図１と同一である。
【００２０】
この構成は、スキャニングスイッチ３４を接点Ａ、Ｂ、Ｃ・・・Ｍの接点信号の入力部と入力回路２２との間に配置したことにより、コモン線２９からプロセス情報発生部１０に検出電圧を供給する検出電圧印加線３１は一本でよくなり、この部分の制御線数が少なくなる。
【００２１】
このように構成すると、検出電圧をプロセス情報発生部１０に検出電圧を供給する検出電圧印加線３１は一本となり、信号出力線３２は実施の形態1の場合と同じであるが、図1の構成に比較してプロセス情報発生部１０とプロセス情報入力機構３０との間の制御線数を少なくすることができる。
【００２２】
実施の形態３．
実施の形態１および実施の形態２では、接点Ａ、Ｂ、Ｃ・・・Ｍから接点信号が直接入力回路２２に入力されるように構成したが、接点Ａ、Ｂ、Ｃ・・・Ｍの接離時のチャタリングや信号伝送回路に誘導ノイズが入る場合がある。
実施の形態３は、実施の形態１の図１の構成に、プロセス情報発生部１０からの信号に含まれるノイズを除去するノイズフィルタ４１を追加してプロセス情報入力機構４０を構成している。
図５は実施の形態３のプロセス情報入力機構４０の回路図である。この構成は、ノイズを除去するノイズフィルタ４１を追加した以外のプロセス情報発生部１０、コモン線２９、検出電圧印加線１２、信号出力線１３、入力回路２２、入力処理部２５、タイミング制御回路２５ａ、信号処理部２５ｂ、メモリ２６、スキャニングスイッチ２４は実施の形態１の図１と同一である。
【００２３】
このようにプロセス情報入力機構４０の接点信号入力部にノイズフィルタ回路４１を設けた構成にすると、誘導ノイズ、接点のチャタリングノイズが低減されて、ノイズを信号として取り込んでしまうことが防止できる。
【００２４】
実施の形態２の図４の構成では、スキャニングスイッチ３４と入力回路２２の間にノイズフィルタ４１を配置することで同様の効果が得られる。
【００２５】
実施の形態４．
実施の形態１〜３では、プロセス情報発生部の接点の各信号伝送回路を順次接続してスキャニングを行うスキャニング信号をスキャニングスイッチに対して出力するとともに、入力回路からの入力回路出力信号を各スキャニング信号の有意時点に同期してサンプリングするタイミング制御機能を入力処理部に設けた構成としたが、実施の形態４は、タイミング制御回路を入力処理部とは別に設けた構成である。
【００２６】
図６は実施の形態４のプロセス情報入力機構の回路図である。図６の構成は、プロセス情報入力回路５０の入力回路２２と入力処理部５５の間にタイミング制御回路５３を設けたものであり、実施の形態１の図１との相違点は、タイミング制御機能を除いた入力処理部５５とし、別にタイミング制御回路５３を設けた点であり、入力処理部５５は、信号処理部５５ｂとメモリ２６で構成されている。その他の検出電圧印加線１２、信号出力線１３、入力回路２２、スキャニングスイッチ２４、メモリ２６は実施の形態１の図１と同一である。
【００２７】
このようにタイミング制御回路５３を入力処理部から切り離した構成とすると、入力処理部５５の構成が単純化され、タイミング制御回路５３は、監視制御装置のプロセス情報量に応じて構成することが容易となり、設計の自由度が増す効果が得られる。
【００２８】
実施の形態５．
実施の形態１〜４では、プロセス情報入力機構のスキャニング信号をプロセス情報の１回路毎に出力する構成であったが、プロセス情報量が多い場合は、１回路毎にスキャニング信号を出力し、１個の入力回路でプロセス情報を得る構成では、各プロセス情報をスキャニングする周期が長くなり、実際のプロセス情報に対して、取り込まれるプロセス情報の時間的なずれが大きくなる。このため、プロセス情報を正確に取り込むことができず、プロセス情報入力機構のデータ取り込み精度が低下し、これを使用した監視制御装置は監視制御の精度が低下する問題点がある。
実施の形態５は、プロセス情報量が多い場合においても、実際のプロセス情報と取込まれるプロセス情報の時間的なずれを実用上差し支えない範囲に収めることができるプロセス情報入力機構を少ない入力回路で構成することを目的とする。
【００２９】
図７は実施の形態５のプロセス情報入力機構の回路図である。
この構成のプロセス情報発生部６０は、対象とするプロセス情報の接点を１グループあたりｎ個の接点としたｍグループに分割し、１グループｎ個の接点の接点信号を取り込めるように構成している。
【００３０】
１グループあたりｎ個のｍグループに分割したプロセス情報発生部６０は、Ａグループ６１が接点Ａ１、Ａ２・・・Ａｎ、Ｂグループ６２が接点Ｂ１、Ｂ２・・・Ｂｎ、・・・Ｍグループが接点Ｍ１、Ｍ２・・Ｍｎで構成されている。
プロセス情報発生部６０とプロセス情報入力機構７０との間は、検出電圧がグループ毎に切り換えて印加できるようにグループ毎に検出電圧印加線６６で接続し、各接点の出力側は、プロセス情報発生部６０のＡグループ６１、Ｂグループ６２、・・・Ｍグループ６ｍの各グループのそれぞれから信号出力線６７によりプロセス情報入力機構７０に接続している。検出電圧印加線６６、接点Ａ１、Ａ２・・・Ａｎ、Ｂ１、Ｂ２・・・Ｂｎ、・・・Ｍ１、Ｍ２・・Ｍｎ、出力信号線６７で信号伝送回路６８が構成されている。
【００３１】
プロセス情報入力機構７０は、プロセス情報発生部６０の各接点に検出電圧を印加するコモン線７９に接続し、プロセス情報発生部６０の各接点をグループ毎に順次接続して検出電圧を印加するスキャニングスイッチ７４を備え、プロセス情報発生部６０の各接点からの信号出力線６７は、各グループの同一配列順位の接点の出力側を一括接続し、同一配列順位毎にノイズフィルタ回路７１（７１ａ、７１ｂ・・・７１ｍ）、入力回路７２（７２ａ、７２ｂ・・・７２ｍ）、タイミング制御回路７３を接続し、バス７７により入力処理部７５に接続している。入力処理部７５には信号処理部７５ｂとメモリ７６を備えている。メモリ７６は拡大して示したようにプロセス情報をグループ毎に区分けして格納するメモリ７６を備えている。
タイミング制御回路７３は、プロセス情報発生部６０の各接点の信号伝送回路６８をグループ毎に順次閉成し開路してスキャニングするスキャニング信号Ｓをスキャニングスイッチ７４に出力し、各スキャニング信号Ｓの有意となる時刻に同期して接点信号を取り込み、入力処理部７５へ出力するタイミング制御を行う。
【００３２】
図７におけるプロセス情報の取り込み動作は、タイミング制御回路７３からのスキャニング信号Ｓによりスキャニングされて閉成されたプロセス情報伝送回路６８の閉成順にプロセス情報を各グループの配列順位毎に取り込み、それぞれ配列順位毎のノイズフィルタ７１でノイズを低減して入力回路７２に入力し、入力回路７２から配列毎にプロセス情報シリアル信号として出力し、バス７７を伝送して配列毎に区別して入力処理部７５に入力する。
入力処理部７５では、信号処理部７５ｂにおいて、入力された配列毎のプロセス情報シリアル信号から、接点毎に実施の形態１において図３により説明した方法によりサンプリングしてプロセス情報信号を確定し、プロセス情報信号はメモリ７６にプロセス情報の配列毎に区別して格納する。
【００３３】
多数のプロセス情報発生部からプロセス情報を入力する場合に、プロセス情報発生部をｎ個毎のｍグループに分割し、ｎ個の入力回路でｍ回のスキャニングを実行してデータを取り込むことにより、スキャニングの時間間隔を長くすることなく多くのプロセス情報データを取り込むことが可能となり、実際のプロセス情報と取り込んだプロセス情報との時間的なずれが小さくなり、多数のプロセス情報発生部がある場合にも精度の高いプロセス情報入力機構が構成でき、このプロセス情報入力機構を使用すると小型で監視精度の高い監視制御装置が構成できる。
【図面の簡単な説明】
【００３４】
【図１】実施の形態１のプロセス情報入力機構の回路図である。
【図２】プロセス情報入力機構のデータ取込方法を時系列に表現したタイミングチャートである。
【図３】プロセス情報入力機構において、データを取り込み確定する方法を時系列に表現したタイムチャートである。
【図４】実施の形態２のプロセス情報入力機構の回路図である。
【図５】実施の形態３のプロセス情報入力機構の回路図である。
【図６】実施の形態４のプロセス情報入力機構の回路図である。
【図７】実施の形態５のプロセス情報入力機構の回路図である。
【図８】従来の概念で構成したプロセス情報入力機構の回路図である。
【符号の説明】
【００３５】
１０  プロセス情報発生部、１２  検出電圧印加線、１３  信号出力線、
１５  信号伝送回路、２０  プロセス情報入力機構、２２  入力回路、
２４  スキャニングスイッチ、２５  入力処理部、２５ａ  タイミング制御回路、
２５ｂ  信号処理部、２６  メモリ、２９  コモン線、３０  プロセス情報入力機構、
３１  検出電圧印加線、３２  信号出力線、３４  スキャニングスイッチ、
４０  プロセス情報入力機構、４１  ノイズフィルタ、５０  プロセス情報入力機構、
５３  タイミング制御回路、５５  入力処理部、５５ｂ  信号処理部、
６０  プロセス情報発生部、６１  グループＡ、６２  グループＢ、６ｍ  グループＭ、
６６  検出電圧印加線、６７  信号出力線、６８  信号伝送回路、
７０  プロセス情報入力機構、７１  ノイズフィルタ、７２  入力回路、
７３  タイミング制御回路、７５  入力処理部、７５ｂ  信号処理部、７６  メモリ、
７７  バス、７９  コモン線。
【図１】
2007156847.tif 000003
【図２】
2007156847.tif 000004
【図３】
2007156847.tif 000005
【図４】
2007156847.tif 000006
【図５】
2007156847.tif 000007
【図６】
2007156847.tif 000008
【図７】
2007156847.tif 000009
【図８】
2007156847.tif 000010